(57)【要約】【課題】内容液の注出量を調整する操作を、安定した状態でスムーズに行うことのできるスパウト付き袋容器を提供する。【解決手段】表裏一対の正面フィルム部１１ａを含む袋本体１１を備え、周縁部分１１ｂに接合された注出スパウト２０が、接合部２１と、注出ノズル部２２と、注出調整部２３とを含む。注出調整部２３には、正面フィルム部１１ａの内面と対向配置されて、流入開口部２５が開口する傾斜面部２４が形成されている。流入開口部２５から離れた部位を押え操作部２６として、表裏の正面フィルム部１１ａを挟み込むことで、内容液の注出量を調整する。注出調整部２３は、流入開口部２５を挟んだ両側の側端部から、注出調整部２３の延設方向Ｘに延設された一対の案内延設部２７を備えており、これらの案内延設部２７の間の部分が、押え操作部２６となっている。【選択図】図３
2018140828.tif 000002
【特許請求の範囲】
【請求項１】
表裏一対の正面フィルム部を含む袋本体を備え、該袋本体の周縁部分に内容液を注出させる注出スパウトが取り付けられたスパウト付き袋容器であって、
前記注出スパウトは、前記袋本体の周縁部分に接合される接合部と、該接合部から前記袋本体の外側に突出して設けられた注出ノズル部と、該接合部から前記袋本体の内側に延設して設けられた注出調整部とを含んで構成されており、
前記注出調整部には、前記正面フィルム部の内面と対向して配置される傾斜面部が、表側及び裏側の少なくとも一方の側に形成されていると共に、該傾斜面部には、前記注出ノズル部と連通する流入開口部が開口しており、
前記注出調整部は、前記流入開口部から、前記注出調整部の延設方向に離れた部位を押え操作部として、該押え操作部において、表裏の正面フィルム部の内面同士を直接に近接又は密着させることで、前記注出ノズル部からの内容液の注出量を調整できるようになっており、
且つ前記注出調整部は、前記傾斜面部の先端部における前記流入開口部を挟んだ両側の側端部から、該注出調整部の延設方向に延設された一対の案内延設部を備えており、該一対の案内延設部の間の部分が、前記押え操作部となっているスパウト付き袋容器。
【請求項２】
前記案内延設部は、延設方向の先端部に、前記注出ノズル部の中心軸方向に近づく曲折部分を有する請求項１記載のスパウト付き袋容器。
【請求項３】
前記案内延設部は、これの延設方向の先端部が、連結延設部を介して連結されていることで、該連結延設部と共に環状に延設して設けられている請求項１又は２記載のスパウト付き袋容器。
【請求項４】
前記案内延設部は、前記連結延設部と共に円環状に延設して設けられている請求項３記載のスパウト付き袋容器。
【請求項５】
前記案内延設部は、前記傾斜面部の前記延設方向の先端部における前記注出調整部の厚さと、同様の厚さを有している請求項１〜４のいずれか１項記載のスパウト付き袋容器。
【請求項６】
前記袋本体を形成する前記表裏一対の正面フィルム部の少なくとも一方における前記押え操作部の部分に、エンボス加工による凹部又は凸部が設けられている請求項１〜５のいずれか１項記載のスパウト付き袋容器。
【請求項７】
請求項１記載のスパウト付き袋容器に用いる注出スパウトであって、
前記袋本体の周縁部分に接合される接合部と、該接合部を挟んだ一方の側に突出して設けられた注出ノズル部と、該接合部を挟んだ他方の側に延設して設けられた注出調整部とを含んで構成されており、
前記注出調整部の外周面には、前記注出ノズル部の中心軸方向に対して傾斜して配置される傾斜面部が形成されていると共に、該傾斜面部には、前記注出ノズル部と連通する流入開口部が開口しており、
前記注出調整部は、前記傾斜面部の先端部における前記流入開口部を挟んだ両側の側端部から、該注出調整部の延設方向に延設された一対の案内延設部を備えている注出スパウト。
【請求項８】
前記案内延設部は、延設方向の先端部に、前記注出ノズル部の中心軸方向に近づく曲折部分を有する請求項７記載の注出スパウト。
【請求項９】
前記案内延設部は、これの延設方向の先端部が、連結延設部を介して連結されていることで、該連結延設部と共に環状に延設して設けられている請求項７又は８記載の注出スパウト。
【請求項１０】
前記案内延設部は、前記連結延設部と共に円環状に延設して設けられている請求項９記載の注出スパウト。
【請求項１１】
前記案内延設部は、前記傾斜面部の前記延設方向の先端部における前記注出調整部の厚さと、同様の厚さを有している請求項７〜１０のいずれか１項記載の注出スパウト。
【発明の詳細な説明】
【技術分野】
【０００１】
本発明は、スパウト付き袋容器に関し、特に、表裏一対の正面フィルム部を含む袋本体の周縁部分に注出スパウトが取り付けられたスパウト付き袋容器に関する。
【背景技術】
【０００２】
表裏一対の正面フィルム部を含む袋本体を備える袋容器として、例えばパウチ袋やガセット袋やピロー袋等が、好ましくは液体洗剤、柔軟剤、漂白剤、液体調味料等の内容液を、被詰替え容器に詰め替えるための詰替え容器等として用いられている。これらの袋容器では、好ましくは注出流路が形成された注出スパウトを、袋本体の周縁部分に取り付けることで、内容液を注出させる操作を容易に行うことができるようになっている。
【０００３】
また、注出スパウトが取り付けられた袋容器として、内容液を注出する際に、例えば容器を傾けたままの状態で、注出スパウトの部分を押え込むことで、内容液の注出を止めたり注出量を調整したりできるようにした袋容器が開発されている（例えば、特許文献１、特許文献２参照）。
【０００４】
これらの特許文献に記載された、注出スパウトが取り付けられた袋容器では、注出スパウトの袋本体の内部に延設する部分に、袋本体の外側に突出する注出ノズル部と連通する流入開口部が開口する傾斜部を備えており、指腹部によって袋本体の注出スパウトが取り付けられた部分の正面フィルム部を押え込むことで、袋本体を形成する正面フィルム部の内側面を、流入開口部を覆うようにして傾斜部に押し付けて、内容液の注出を止めたり注出量を調整したりできるようになっている。
【先行技術文献】
【特許文献】
【０００５】
【特許文献１】特開平１０−２９１５４９号公報
【特許文献２】特開２０１０−１７３７０４号公報
【発明の概要】
【発明が解決しようとする課題】
【０００６】
しかしながら、上記従来の注出スパウトが取り付けられた袋容器では、例えば特許文献１の袋容器によれば、袋本体の正面フィルム部を挟み込む位置が曖昧であり、内容液の注出を止めたり注出量を調整したりする操作が安定しなくなるばかりか、指腹部によって傾斜部の部分の正面フィルム部を挟み込んだ場合でも、指腹部によって傾斜部から離れた部分の正面フィルム部を挟み込んだ場合でも、流入開口部に向かう隙間が、正面フィルム部を挟み込んだ部分の周囲に生じ易くなって、内容液の注出をスムーズに止めることが難しい。例えば特許文献２の袋容器によれば、傾斜部の先端部からさらに延在させて、指支持面が設けられていることから、指支持面に沿って、例えば親指の指腹部を延在方向にスライド移動させながら正面フィルム部を指支持面に押し付けて、内容液の注出を停止したり注出量を調整したりする操作を行う必要があり、注出スパウトが取り付けられる位置や向きによっては、このような操作を行い難くなる。
【０００７】
本発明は、袋本体の正面フィルム部を挟み込む位置を特定して、内容液の注出を止めたり注出量を調整したりする操作を、安定した状態で、容易に且つスムーズに行うことのできるスパウト付き袋容器及び注出スパウトを提供することを目的とする。
【課題を解決するための手段】
【０００８】
本発明は、表裏一対の正面フィルム部を含む袋本体を備え、該袋本体の周縁部分に内容液を注出させる注出スパウトが取り付けられたスパウト付き袋容器であって、前記注出スパウトは、前記袋本体の周縁部分に接合される接合部と、該接合部から前記袋本体の外側に突出して設けられた注出ノズル部と、該接合部から前記袋本体の内側に延設して設けられた注出調整部とを含んで構成されており、前記注出調整部には、前記正面フィルム部の内面と対向して配置される傾斜面部が、表側及び裏側の少なくとも一方の側に形成されていると共に、該傾斜面部には、前記注出ノズル部と連通する流入開口部が開口しており、前記注出調整部は、前記流入開口部から、前記注出調整部の延設方向に離れた部位を押え操作部として、該押え操作部において、表裏の正面フィルム部の内面同士を直接に近接又は密着させることで、前記注出ノズル部からの内容液の注出量を調整できるようになっており、且つ前記注出調整部は、前記傾斜面部の先端部における前記流入開口部を挟んだ両側の側端部から、該注出調整部の延設方向に延設された一対の案内延設部を備えており、該一対の案内延設部の間の部分が、前記押え操作部となっているスパウト付き袋容器を提供することにより、上記目的を達成したものである。
【０００９】
また、本発明は、上記のスパウト付き袋容器に用いる注出スパウトであって、前記袋本体の周縁部分に接合される接合部と、該接合部を挟んだ一方の側に突出して設けられた注出ノズル部と、該接合部を挟んだ他方の側に延設して設けられた注出調整部とを含んで構成されており、前記注出調整部の外周面には、前記注出ノズル部の中心軸方向に対して傾斜して配置される傾斜面部が形成されていると共に、該傾斜面部には、前記注出ノズル部と連通する流入開口部が開口しており、前記注出調整部は、前記傾斜面部の先端部における前記流入開口部を挟んだ両側の側端部から、該注出調整部の延設方向に延設された一対の案内延設部を備えている注出スパウトを提供することにより、上記目的を達成したものである。
【発明の効果】
【００１０】
本発明のスパウト付き袋容器又は注出スパウトによれば、袋本体の正面フィルム部を挟み込む位置を特定して、内容液の注出を止めたり注出量を調整したりする操作を、安定した状態で、容易に且つスムーズに行うことができる。
【図面の簡単な説明】
【００１１】
【図１】本発明の好ましい一実施形態に係るスパウト付き袋容器の部分透視正面図である。
【図２】本発明の好ましい一実施形態に係るスパウト付き袋容器から内容液を注出している状態の部分透視正面図である。
【図３】図１のＡ部拡大図である。
【図４】本発明の好ましい一実施形態に係るスパウト付き袋容器に取り付けられる注出スパウトの、（ａ）は正面図、（ｂ）は側面図、（ｃ）は（ａ）を斜め下方から見た斜視図である。
【図５】注出スパウトの他の形態を例示する、（ａ）〜（ｅ）は正面図、（ｆ）は側面図である。
【発明を実施するための形態】
【００１２】
図１に示す本発明の好ましい一実施形態に係るスパウト付き袋容器１０は、好ましくは詰替え用の内容液として、例えば液体洗剤、柔軟剤、漂白剤、シャンプー、リンス、コンディショナー、液体調味料等を収容した、いわゆる自立可能な詰替え用のパウチ容器となっている。本実施形態のスパウト付き袋容器１０では、袋本体１１のシール接合された周縁部分１１ｂによる、袋本体１１の上部角部分を斜めに延設させて形成した上部肩部分１１ｃに、内容液を注出させる注出スパウト２０が取り付けられている。本実施形態のスパウト付き袋容器１０は、例えば図２に示すように、注出スパウト２０が取り付けられた部分の袋本体１１を、好ましくは親指と人差指の指腹部の間に挟み込みながら、袋容器１０を傾けて、例えばボトル形状を備える被詰替え容器（図示せず）に、注出スパウト２０を介して内容液を注出させるようになっている。本実施形態のスパウト付き袋容器１０は、当該袋容器１０を傾けたままの状態で、内容液の注出を止めたり注出量を調整したりする操作を、安定した状態で、容易に且つスムーズに行うことができるようになっている。
【００１３】
そして、本実施形態のスパウト付き袋容器１０は、図１に示すように、表裏一対の正面フィルム部１１ａを含む袋本体１１を備え、袋本体１１のシール接合された周縁部分１１ｂに内容液を注出させる注出スパウト２０が取り付けられた、例えば詰替え用のパウチ容器であって、注出スパウト２０は、図３及び図４（ａ）〜（ｃ）にも示すように、袋本体１１の周縁部分１１ｂに接合される接合部２１と、接合部２１から袋本体１１の外側に突出して設けられた注出ノズル部２２と、接合部２１から袋本体１１の内側に延設して設けられた注出調整部２３とを含んで構成されている。
【００１４】
注出調整部２３には、正面フィルム部１１ａの内面と対向して配置される傾斜面部２４が、表側及び裏側の正面フィルム部１１ａと各々対向する注出スパウト２０の表側及び裏側の少なくとも一方の側（本実施形態では、表側と裏側の両側）に形成されていると共に、これらの傾斜面部２４には、注出ノズル部２２と連通する流入開口部２５が開口している。傾斜面部２４は、流入開口部２５から、注出調整部２３の延設方向Ｘに離れた部位を押え操作部２６として、この押え操作部２６において、好ましくは指腹部により表裏の正面フィルム部１１ａを挟み込み、これらの内面同士を直接に近接又は密着させることで、正面フィルム部１１ａによって流入開口部２５が閉塞される状態を調整して、注出ノズル部２２からの内容液の注出量を調整できるようになっている。注出調整部２３は、傾斜面部２４の先端部における流入開口部２５を挟んだ両側の側端部から、注出調整部２３の延設方向Ｘに延設された一対の案内延設部２７を備えており、これらの一対の案内延設部２７の間の部分が、好ましくは指腹部により表裏の正面フィルム部１１ａを挟み込み、これらの内面同士を直接に近接又は密着させることで、袋本体１１の正面フィルム部１１ａによって流入開口部２５が閉塞される状態を調整できるようにする押え操作部２６となっている。
【００１５】
ここで、本実施形態では、袋本体１１を形成する表裏一対の正面フィルム部１１ａは、内容液が収容される前の平坦に折り畳まれた状態では、重ねて配置されると共に、内容液が収容された状態では、袋本体１１の表側及び裏側の外面を形成し、一方を表側の正面フィルム部１１ａとした場合に、他方は裏側の正面フィルム部１１ａとなるように配置されるフィルム部である。
【００１６】
また、本実施形態では、流入開口部２５を挟んだ両側の側端部から延設する案内延設部２７は、好ましくはこれの注出調整部２３の延設方向Ｘの先端部に、注出ノズル部２２の中心軸方向に近づく曲折部分を有しており、さらに、延設方向Ｘの先端部が、連結延設部２７ａを介して連結されていることで、連結延設部２７ａと共に環状に延設して設けられている。
【００１７】
本実施形態では、スパウト付き袋容器１０を構成する袋本体１１は、好ましくは自立可能な詰替え用のパウチ袋となっている。パウチ袋は、例えば一対の正面フィルム部１１ａの底部分の間に、底面フィルム部１１ｄを二つ折りにして挟み込んだ状態で、これらのフィルム部の周縁部分を例えばヒートシールによりシール接合することによって得られる、公知の構成を備えるＬＤＰＥ、ＬＬＤＰＥ、ＰＥＴ、ＮＹ等からなる合成樹脂製の袋である。袋本体１１は、例えば略矩形の正面形状を有していると共に、袋本体１１の一方の上部角部分を斜めに延設させて形成した、上部肩部分１１ｃにおけるシール接合された周縁部分１１ｂに、注出スパウト２０が取り付けられている。
【００１８】
注出スパウト２０は、例えばＰＰ、ＨＤＰＥ、ＰＥ等の合成樹脂からなる射出成形品となっており、図３及び図４（ａ）〜（ｃ）に示すように、袋本体１１の上部肩部分１１ｃの周縁部分１１ｂに接合される接合部２１と、接合部２１を挟んだ一方の側に突出して設けられた注出ノズル部２２と、接合部２１を挟んだ他方の側に延設して設けられた注出調整部２３とを含んで構成されている。注出調整部２３の外周面には、注出ノズル部２２の軸方向Ｚ（図４（ｂ）参照）に対して傾斜角度θで傾斜する傾斜面部２４が、好ましくは反対側を向いた状態で配置されて一対形成されている。傾斜面部２４には、注出ノズル部２２と連通する流入開口部２５が開口しており（図４（ａ）、（ｃ）参照）、傾斜面部２４の先端部における流入開口部２５を挟んだ両側の側端部から、注出調整部２３の延設方向Ｘに延設して、案内延設部２７が設けられている。傾斜面部２４は、接合部２１から延設方向Ｘに向かって厚さが小さくなるように傾斜して設けられている。
【００１９】
注出スパウト２０は、接合部２１を挟んだ一方の側に突出する注出ノズル部２２を、袋本体１１の外側に配置すると共に、他方の側に延設する注出調整部２３を、袋本体１１の内側に配置し、且つ反対側を向いて配置された一対の傾斜面部２４を、表側及び裏側の正面フィルム部１１ａの内側面と各々対向させて配置した状態で、接合部２１を、袋本体１１の斜めに形成された上部肩部分１１ｃにおける周縁部分１１ｂに、当該周縁部分１１ｂをシール接合する際に熱溶着することによって、取り付けられるようになっている。
【００２０】
注出スパウト２０の接合部２１は、斜めに形成された上部肩部分１１ｃにおける周縁部分１１ｂにおいて、表裏一対の正面フィルム部１１ａに密着させつつ熱溶着させ易い形状として、好ましくは横長の船底形の外周断面形状を備えている（図４（ｃ）参照）。また接合部２１の外周面には、周方向に延接する接合リブ２１ａが、当該接合部２１の表側及び裏側の各々の面に、注出ノズル部２２の中心軸方向Ｚに間隔をおいて、複数段に配置されて設けられている。これによって、注出スパウト２０の接合部２１を、表裏一対の正面フィルム部１１ａの周縁部分１１ｂの間に挟み込んだ状態で、袋本体１１に、液密且つ気密に強固に熱溶着させて接合することができるようになっている。
【００２１】
また、注出スパウト２０の接合部２１には、注出ノズル部２２側の端面から注出スパウト２０の中心軸方向Ｚと垂直な横方向に環状に張り出して、張出しフランジ部２１ｂが設けられている。注出スパウト２０を袋本体１１に接合して取り付ける際に、張出しフランジ部２１ｂを、表裏一対の正面フィルム部１１ａの周縁部分１１ｂの端縁部に当接させることによって、注出スパウト２０の接合部２１を、正面フィルム部１１ａのシール接合される周縁部分１１ｂに、容易に位置決めすることが可能になる。注出スパウト２０の接合部２１の内部には、注出調整部２３の傾斜面部２４から、当該接合部２１及び張出しフランジ部２１ｂを貫通して、注出スパウト２０の内部空間に至る、円形の中空断面形状を有する注出流路２８の一部が形成されている。  
【００２２】
注出スパウト２０の注出ノズル部２２は、中空の注出流路２８を内側に備える円筒形状の部分であって、接合部２１の端面の張出しフランジ部２１ｂから、立設した状態で設けられている。注出ノズル部２２は、注出スパウト２０が袋本体１１の周縁部分１１ｂに取り付けられた際に、袋本体１１の外側に突出して配置されるようになっている。これによって、袋本体１１から注出流路２１ｄを経て注出される内容液を、注出ノズル部２２を介することで、注出ノズル部２２の先端の流出開口部から、被詰替え容器に向けて精度良く注出できるようになっている。
【００２３】
また、注出ノズル部２２には、これの外周面に、キャップ（図示せず。）を着脱可能に装着できるようにする、例えば雄ネジ突条（図示せず。）を形成しておくことが好ましい。
【００２４】
注出スパウト２０の注出調整部２３は、注出スパウト２０が袋本体１１の周縁部分１１ｂに取り付けられた際に、袋本体１１の内側に延設して配置される部分であって、傾斜面部２４が形成された延設基部２３ａと、延設基部２３ａの先端部からさらに延設方向Ｘに延設して設けられた、案内延設部２７とを含んで構成されている。案内延設部２７は、上述のように、注出調整部２３の延設方向Ｘの先端部に、注出ノズル部２２の中心軸方向に近づく曲折部分を有している。さらに、本実施形態では、案内延設部２７は、延設方向Ｘの先端部が、連結延設部２７ａを介して連結されていることで、当該連結延設部２７ａ及び延設基部２３ａの先端部と共に、円環状に延設して設けられている。案内延設部２７によって囲まれる、これの内側の略円形の領域が、指腹部によって表裏の正面フィルム部１１ａを挟み込む操作を行うための押え操作部２６となっている。
【００２５】
注出調整部２３の延設基部２３ａは、接合部２１の外周断面形状によりも一回り小さな、横長の船底形の外周断面形状を備えており、表側の面及び裏側の面に、表裏一対の正面フィルム部１１ａの内面と各々対向して配置される傾斜面部２４が、互いに反対側を向いた状態で形成されている。一対の傾斜面部２４は、注出調整部２３の延設方向Ｘの先端側に向けて、これらの傾斜面部２４の間の厚さが小さくなるように傾斜して設けられている。また、各々の傾斜面部２４の注出ノズル部２２の中心軸方向Ｚに対する傾斜角度θは、好ましくは１０〜４５度であり、更に好ましくは１５〜３０度となっている。これによって、押え操作部２６の部分で指腹部により表裏の正面フィルム部１１ａを挟み込んで、これらの内側面同士を直接に近接又は密着させることで、正面フィルム部１１ａによって流入開口部２５が閉塞される状態を調整して、内容液の注出を停止したり注出量を調整したりする操作を、効果的に行うことが可能になる。
【００２６】
また、注出調整部２３の延設基部２３ａに形成された傾斜面部２４には、当該傾斜面部２４から、接合部２１及び張出しフランジ部２１ｂを貫通して、注出スパウト２０の内部空間に至る、円形の中空断面形状を有する注出流路２８の、袋本体１１側の流入開口部２５が開口している。本実施形態では、注出流路２８は、円形の断面形状を有しており、傾斜面部２４は、注出ノズル部２２の中心軸方向Ｚに対して傾斜角度θで傾斜して形成されていることから、流入開口部２５は、傾斜面部２４において、注出ノズル部２２側に半楕円形状に食い込んだ状態で開口している。ここで、本実施形態では、注出ノズル部２２の中心軸方向Ｚは、注出調整部２３の延設方向Ｘと平行となっている。
【００２７】
注出調整部２３の案内延設部２７は、延設基部２３ａの先端部から、さらに延設方向Ｘに延設して設けられた部分であって、傾斜面部２４の先端部における流入開口部２５を挟んだ両側の側端部から延設して、押え操作部２６をこれらの内側に区画した状態で、押え操作部２６を挟んだ両側に一対設けられている。案内延設部２７は、好ましくは傾斜面部２４の延設方向Ｘの先端部における、注出調整部２３の延設基部２３ａの延設方向Ｘと垂直な向きの厚さと、同様の厚さを有していると共に、円弧状の正面形状を備える、帯板状の部分となっている。一対の案内延設部２７は、上述のように、延設方向Ｘの先端部が、連結延設部２７ａを介して連結されていることにより、連結延設部２７ａ及び延設基部２３ａの先端部と共に、好ましくは円環状に延設する部分として設けられている。
【００２８】
押え操作部２６を挟んだ両側に、案内延設部２７が一対設けられていることにより、後述するように、スパウト付き袋容器１０を傾けて、注出スパウト２０を介して袋本体１１の内部から内容液を注出させる際に、指腹部によって表裏の正面フィルム部１１ａを挟み込んで、内容液の注出を止めたり注出量を調整したりする操作を行なう押え操作部２６の位置を、スムーズに案内することが可能になる。また押え操作部２６の両側部における表裏の正面フィルム部１１ａの間の隙間を、案内延設部２７によって各々埋めることで、押え操作部２６の周囲に、流入開口部２５に向かう隙間が生じ易くなるのを、効果的に抑制することが可能になり、これによって内容液の注出を止める際に、よりスムーズに止めることが可能になる。案内延設部２７が、傾斜面部２４の延設方向Ｘの先端部における注出調整部２３の厚さと、同様の厚さを有していることにより、押圧する操作をより安定させることが可能になる。
【００２９】
また、本実施形態では、案内延設部２７は、注出調整部２３の延設方向Ｘの先端部に、注出ノズル部２２の中心軸方向に近づく曲折部分を有しているので、正しい押圧箇所を認識し易くなる。さらに、一対の案内延設部２７の延設方向の先端部が、連結延設部２７ａを介して連結されていることで、連結延設部２７ａと共に環状に延設して設けられていることにより、指腹部の感触が良好となり、正しい押圧箇所をより認識し易くなる。特に、案内延設部２７が、連結延設部２７ａと共に円環状に延設して設けられていることにより、連結延設部２７ａに沿って指先を当て易くなり、押圧する操作をより安定させることが可能になる。
【００３０】
さらに、本実施形態では、袋本体１１を形成する表裏一対の正面フィルム部１１ａの少なくとも一方における押え操作部２６の部分に、好ましくはエンボス加工による凹部又は凸部（図示せず）を設けておくこともできる。凹部又は凸部の形状としては、特に制限はないが、ドット状、ライン状等の形状や、案内延設部２７の内側に沿った形状が挙げられる。これによって、押え操作部２６の位置を、より案内し易くすることが可能になると共に、指腹部によって表裏の正面フィルム部１１ａを挟み込んで、内容液の注出を止めたり注出量を調整したりする操作を、より行ない易くすることが可能になる。
【００３１】
上述の構成を備える本実施形態のスパウト付き袋容器１０を用いて、例えば内容液を被詰替え容器（図示せず）に詰め替えるには、図２に示すように、好ましくは一方の手の親指と人差指の指腹部によって、注出スパウト２０の押え操作部２６の部分で表裏の一対の正面フィルム部１１ａを挟み込みながら、袋本体１１を両手で把持すると共に、把持した袋本体１１を、注出スパウト２０の注出ノズル部２２が下方を向くように傾ける。これによって、注出スパウト２０の注出ノズル部２２から、袋本体１１に収容された内容液を、被詰替え容器に向けて精度良く注出することが可能になる。
【００３２】
ここで、注出調整部２３における、傾斜面部２４の両側の側端部から延設方向Ｘに延設して設けられた一対の案内延設部２７の間の部分が、押え操作部２６となっているので、これらの案内延設部２７に案内させることで、これらの案内延設部２７の間の領域である、流入開口部２５から注出調整部２３の延設方向Ｘに離れた部位に位置する押え操作部２６を、一対の正面フィルム部１１ａの外側から、指腹部の感触によって容易に特定することが可能になる。またこれによって、当該表裏の一対の正面フィルム部１１ａを、特定された押え操作部２６において、容易に挟み込むことが可能になる。
【００３３】
また、流入開口部２５から離れた部位に特定された押え操作部２６において、表裏の一対の正面フィルム部１１ａを挟み込んだ状態で、挟み込む際の押し込みの程度を調整することによって、これらの一対の正面フィルム部１１ａの内面同士を直接に近接又は密着させる操作が容易になり、これによって正面フィルム部１１ａが、流入開口部２５が開口する傾斜面部２４に追従する程度を調整して、正面フィルム部１１ａによって流入開口部２５が閉塞される状態を制御することにより、内容液の注出量を容易に調整することが可能になる。
【００３４】
さらに、押え操作部２６を挟んだ両側に、表裏の正面フィルム部１１ａの間の隙間を埋める案内延設部２７が設けられているので、表裏の正面フィルム部１１ａを挟み込んだ際に、押え操作部２６の周囲に、流入開口部２５に向かう隙間が生じるのを効果的に抑制して、内容液の注出を止めたり注出量を調整したりする操作を、よりスムーズに行うことが可能になる。
【００３５】
これらによって、本実施形態のスパウト付き袋容器１０又は注出スパウト２０によれば、袋本体１１の正面フィルム部１１ａを挟み込む位置を特定して、内容液の注出を止めたり注出量を調整したりする操作を、安定した状態で、容易に且つスムーズに行うことが可能になる。
【００３６】
また、本実施形態のスパウト付き袋容器１０又は注出スパウト２０によれば、利き手に拘わらず、内容液の注出を止めたり注出量を調整したりする操作が可能であると共に、片手でも、このような操作を容易に行うことができる。
【００３７】
さらに、スパウトの付いた袋容器の需要が高まる中、内容液の注ぎ易さ、調整のし易さ、ハンドリングの容易性等を、効果的に改善することが可能になる。
【００３８】
なお、本発明は上記実施形態に限定されることなく種々の変更が可能である。例えば、注出スパウトに設けられた、流入開口部３５を挟んだ両側の側端部から延設する案内延設部２７は、上記実施形態のものに限定されることなく、種々の形態のものを採用することができる。例えば、流入開口部２５と押え操作部２６との間に、内側連結部２７ｂが設けられていても良く（図５（ａ）、図５（ｂ）参照）、案内延設部２７は、連結延設部２７ａと共に、矩形環状に延設していても良い（図５（ｃ）参照）。左右一対の案内延設部２７は、先端部分において離間した状態で設けられていても良い（図５（ｄ）、図５（ｅ）参照）。
【００３９】
また、傾斜面部２４は、注出調整部２３の表側と裏側の両側に形成されている必要は必ずしもなく、図５（ｆ）に示すように、表側又は裏側のいずれか一方に形成されていても良い。内容液を注出させる注出スパウトは、袋本体の上部肩部分１１ｃに設けられている必要は必ずしもなく、例えば袋本体の上端部中央部分に設けられていても良い。注出スパウトの接合部に、接合リブや張出しフランジ部が設けられていなくても良い。
【符号の説明】
【００４０】
１０  スパウト付き袋容器
１１  袋本体
１１ａ  正面フィルム部
１１ｂ  周縁部分
１１ｃ  上部肩部分
１１ｄ  底面フィルム部
２０  注出スパウト
２１  接合部
２１ａ  接合リブ
２１ｂ  張出しフランジ部
２２  注出ノズル部
２３  注出調整部
２３ａ  延設基部
２４  傾斜面部
２５  流入開口部
２６  押え操作部
２７  間仕切り案内延設部
２７ａ  連結延設部
２７ｄ  内側連結部
２８  注出流路
Ｘ    注出調整部の延設方向
Ｚ    注出ノズル部の軸方向
θ    傾斜面部の傾斜角度
【図１】
2018140828.tif 000003
【図２】
2018140828.tif 000004
【図３】
2018140828.tif 000005
【図４】
2018140828.tif 000006
【図５】
2018140828.tif 000007